(57)【特許請求の範囲】
【請求項１】
筒状の部材でカバーを施した可動性の線材を用い、袋を支える第一の輪と、第一の輪より短い全周を持ち柄部を支え尚かつ柄部を留める機能を有した第二の輪との双方からなる部材を少なくとも２つ重ねて形成された保持部は、更に紐状部材を含み、該紐状部材は、前記保持部の前記少なくとも２つの部材の第一の輪を交互に螺旋に巻くことで前記第一の輪間の揺らぎを止め、固定部材を保持部の外周で留め、更に備え付ける袋の重さに耐える保持部の強度を付与したことを特徴とする携帯糞処理用具。  
【請求項２】
前記柄部は、前記保持部の第一の輪をくぐり抜ける指と、前記柄部を支える部位をくぐり貫ける指とを持ち、前記柄部の両指を編み綯うことで重さと湾曲に耐える
柄部とし、更に両指は前記保持部を支える機能と折りたためる機能の双方を備え、更にペンライト固定機能の部材と仮の袋の口塞ぎを可能にした着脱機能付きテープの部材とを備え付け、また前記保持部の輪の形状の変形と前記柄部の形状の変形とが可能であることを特徴とする請求項１に記載の携帯糞処理用具。    
【請求項３】
前記固定部材は前記保持部の第一の輪よりも短い全周を有する伸縮自在の部材から形成され、前記固定部材は、備え付けられる袋を固定し落下を押さえ、取り外し時の行為を容易にし、交換可能であり、前記固定部材はさらに、前記固定部材の着脱を容易にする移動自在の持ち手部材を備えていることを特徴とする請求項１又は請求項２に記載の携帯糞処理用具。                                       
【発明の詳細な説明】
【技術分野】
【０００１】
本発明は犬の散歩時の糞の排泄処理用具に関するものであり、特に糞を受ける携帯糞処理用具に関係するものである。
【背景技術】
【０００２】
従来より、犬の散歩中にする糞の後始末は、地上に落ちた糞をミニスコップで取ったり、ビニール袋で掴み取る方法で処理をするが、これらの方法ではどんなにきれいに取っても路上や草地には臭いや汚れが残る。これらの処理方法は愛犬家でも非衛生的で心理的に煩わしさがあり、またマナーを守らない責任感に欠ける飼い主も見受けられ、そのまま放置される現場を眼にすることがある。公衆衛生上また社会道徳の観点からも非常に良くないことである。
【０００３】
このような汚く嫌な糞の処理の改善策として、数々の先行技術が提案されているが、いずれの文献も使い勝手等がよいとはいえず愛犬家の期待に沿うには、まだ工夫の余地があるように思われる。（例えば特許文献１〜３）。
【０００４】
【特許文献１】特開２００７−６８４８３    号広報。
【特許文献２】特開２００３−３１００８４  号広報。
【特許文献３】特開２００３−１５８９３７  号広報。
【発明の開示】
【発明が解決しようとする課題】
【０００５】
そこで解決しようとする課題は愛犬家が切望する機能的に使い勝手がよく、衛生面に優れ、構造が複雑でなく、長期の使用にも耐え長持ちをし、コンパクトに納まる、携帯糞処理用具を提供することを目的とする。
【課題を解決するための手段】
【０００６】
本発明にかかる一つの態様は、筒状の部材でカバーを施した可動性の線材を用い、袋を支える第一の輪と、第一の輪より短い全周を持ち柄部を支え尚かつ柄部を留める機能を有した第二の輪との双方からなる部材を少なくとも２つ重ねて形成された保持部は、更に紐状部材を含み、該紐状部材は、前記保持部の前記少なくとも２つの部材の第一の輪を交互に螺旋に巻くことで前記第一の輪間の揺らぎを止め、固定部材を保持部の外周で留め、更に備え付ける袋の重さに耐える保持部の強度を付与したことを特徴とした携帯糞処理用具であることを要旨とする。
【０００７】
本発明にかかる他の態様は、前記柄部は、前記保持部の第一の輪をくぐり抜ける指と、前記柄部を支える部位をくぐり貫ける指とを持ち、前記柄部の両指を編み綯うことで重さと湾曲に耐える柄部とし、更に両指は前記保持部を支える機能と折りたためる機能の双方を備え、更にペンライト固定機能の部材と仮の袋の口塞ぎを可能にした着脱機能付きテープの部材とを備え付け、また前記保持部の輪の形状の変形と前記柄部の形状の変形とが可能であることを特徴とする請求項１に記載の携帯糞処理用具であることを要旨とする。    
【０００８】
本発明にかかる他の態様は、前記固定部材は前記保持部の第一の輪よりも短い全周を有する伸縮自在の部材から形成され、前記固定部材は、備え付けられる袋を固定し落下を押さえ、取り外し時の行為を容易にし、交換可能であり、前記固定部材はさらに、前記固定部材の着脱を容易にする移動自在の持ち手部材を備えていることを特徴とする請求項１又は請求項２に記載の携帯糞処理用具であることを要旨とする。
【発明の効果】
【０００９】
本発明は以上のような従来の欠点を鑑み、衛生面や機能面にも優れしかもお洒落で、シンプルで壊れにくく出来ており、愛犬家のニーズに対応し煩わしい糞処理を楽にするために使いがってのよい構造に仕上げ、街中から糞の公害をなくし住みやすい生活環境のために、この糞処理用具を上記の課題を解決する目的のために提供する。
【発明を実施するための最良の形態】
【００１０】
本発明の携帯糞処理用具を具体化した実施の形態について以下図面を用いて説明する。
【実施例１】
【００１１】
可動性の線材はアルミ針金に、筒状の部材は筒状の紐に、伸縮自在の輪状の固定部材はゴム紐に、ペンライト固定機能の紐状部材はペンライト止め用紐に、着脱機能付きテープの紐状部材は着脱機能付きテープ紐に、移動自在の持ち手部材は金具に、紐状部材はカラーリボンと記載し説明する。  
【００１２】
輪状保持部として針金二本  筒状の紐二本  カラーリボン  ゴム紐一本  金具
柄部としてアルミ針金三本  筒状の紐三本  着脱機能付きテープ紐適宜  ペンライト止め紐適宜を使用し作成した。
【００１３】
図３、図４に示すように
筒状の紐１０にアルミ針金１１を通すことで直接金具に触れずに作業が出来、冷たい感触をなくした。またアルミ針金は微調製が可能で加工に適している。８の字を書くようにアルミ針金を丸くして、袋を支える輪と柄を固定する輪を作り、同じ形状の輪状４、５を作る。この方法を用いることで袋を受ける部位と柄の取り付けや柄をたためる機能を可能にしている。
【００１４】
図１、図５、図６、に示すように
出来あがった輪状４，５の２本を斉しく重ね、カラーリボン７を上下交互に螺旋状に巻き進め、この作業で保持部が形成され次の作業へ繋がる。重ねたアルミ針金４，５の横面に凹凸面ができるので外周部の凹部分にゴム紐８が収まりその際、螺旋に巻いたカラーリボン７が働き保持部の輪状の内側にゴム紐８が入る動きを止める。
【００１５】
図１、図７、図８、図９、に示すように
指部６を三本、筒状の紐１０に通しておき、保持部２のアルミ針金が交差した部位に柄部３の指部６をくぐり貫かせ、また袋保持部２の部位に柄部３となる指部６を
左右２箇所にくぐり抜かせる。指部６の方向が同じであることが重要であり、指部６を編み綯うことで柄部３としての効力が発揮できる。袋保持部２の線上にゴム紐８をおき、保持部２を指部６で挟む際に同時に挟む。ゴム紐８は後から交換も出来、またゴム紐８を容易に着脱出来るように金具９を事前にゴム紐に取り付けておく。保持部２と柄部３はパーツが交わっているのみなので、柄部３は折り畳めて収納可能な構造に出来ている。
【００１６】
図９、図１０、図１１、に示すように
夜間の散歩時の手元明かりを可能にするペンライト止め用紐１２と二度の便意も同じ袋で済む様、仮の袋の口塞ぎを可能にした着脱機能付きテープ紐１３を柄部作業時に編み込むことを可能にした。
【産業上の利用可能性】
【００１７】
可動性の部材の材質はアルミとしたが他にも自然素材、植物、金属、石油系副産物を加工することで形成が可能であり、例えばプラスティックや樹脂でもできる。また糞を受けた袋に竹炭の粉末を入れることで消臭効果も期待できる。
従来のものに比べ本発明の犬の糞処理用具は、コンパクトで使いがってがよく、色使いがお洒落で愛犬家のニーズに応じられる糞処理用具である。
【図面の簡単な説明】
【００１８】
【図１】糞処理用具  展開図。
【図２】糞処理用具  折りたたみ図。
【図３】筒状の紐に針金を挿入した図。
【図４】針金を８の字型に形成した図。
【図５】糞処理用具の袋保持部の断面図。
【図６】複数重ねた輪状部材をリボンで螺旋巻きした図。
【図７】柄部と保持部の合体部  表。
【図８】柄部と保持部の合体部  裏。
【図９】針金を三つ編みにして作成した柄部の図。
【図１０】着脱機能付きテープ紐使用前の袋  側面図。
【図１１】着脱機能付きテープ紐使用後の袋  側面図。
【符号の説明】
【００１９】
１  糞処理用具本体。
２  糞処理用具袋保持部。
３  糞処理用具柄部。
４  輪状アルミ針金  ８の字型Ａ。
５  輪状アルミ針金  ８の字型Ｂ。
６  指部。
７  カラーリボン。
８  ゴム紐。
９  金具。
１０  筒状の紐。
１１  アルミ針金。
１２  ペンライト止め用紐。
１３  着脱機能付きテープ紐。
１４  ビニール袋。
【要約】 
【課題】  犬が散歩中に排出する糞の処理に手間を掛けず、衛生面に配慮し機能性に富んだ携帯糞処理用具を提供する。
【解決手段】  犬の糞を落下前に袋に受けるよう形成された、溝を有し袋を備え付ける保持部と、袋を固定する伸縮自在の固定部材と、保持部を支え折り畳める柄部とから構成され、筒状の部材でカバーを施した可動性の線材を用い、大きさの異なる輪状に形成した部材双方の側面を合わせ、更に複数本重ね、紐状部材でらせんに巻いた完成部材を保持部とし、保持部は移動自在の持ち手部材を備え付けた、伸縮自在の固定部材を有し、伸縮自在の固定部材は交換が可能であり、柄部は線材を編み綯うことで重さと湾曲に耐える機能を有し、更にペンライト固定機能の部材と仮の袋の口塞ぎ用の着脱機能付きテープの部材とを取り付け可能とし、また保持部は輪の形状の変形を柄部は形状の変形を可能とした構造を持つことを特徴とした携帯糞処理用具。
【選択図】  図１【図１】
0004379828.tif 000002
【図２】
0004379828.tif 000003
【図３】
0004379828.tif 000004
【図４】
0004379828.tif 000005
【図５】
0004379828.tif 000006
【図６】
0004379828.tif 000007
【図７】
0004379828.tif 000008
【図８】
0004379828.tif 000009
【図９】
0004379828.tif 000010
【図１０】
0004379828.tif 000011
【図１１】
0004379828.tif 000012